(57)【要約】【課題】  息止め撮影時の撮影ミスを低減できる医用画像撮影装置を提供することを目的とする。          【解決手段】  被検体の呼吸及び息止め動作を誘導するための表示をする表示装置を備えた医用画像撮影装置であって、撮影開始からの経過時間を計測する計測装置と、前記計測装置の計測結果に基づき息止め残り時間が予め定められた時間に達したか否かを判定する判定装置と、前記判定装置の判定結果に基づき前記表示装置の制御をする制御装置と、を備えることを特徴とする。      【選択図】    図4
2010005192.tif 000002
【特許請求の範囲】
【請求項１】
被検体の呼吸や息止め動作を指示するための表示をする指示表示装置を備えた医用画像撮影装置であって、
撮影開始からの経過時間を計測する計測装置と、
前記計測装置の計測結果に基づき息止め残り時間が予め定められた時間に達したか否かを判定する判定装置と、
前記判定装置の判定結果に基づき前記指示表示装置の制御をする制御装置と、
を備えることを特徴とする医用画像撮影装置。
【請求項２】
請求項１に記載の医用画像撮影装置において、
前記指示表示装置は経過時間にともなって変化する図形を表示するものであり、
前記制御装置は前記息止め残り時間を線形的に減少させて前記指示表示装置に表示させることを特徴とする医用画像撮影装置。
【請求項３】
請求項１に記載の医用画像撮影装置において、
前記指示表示装置は経過時間にともなって変化する図形を表示するものであり、
前記制御装置は前記息止め残り時間が減少するにともなって減少速度を速めて前記指示表示装置に表示させることを特徴とする医用画像撮影装置。
【発明の詳細な説明】
【技術分野】
【０００１】
本発明は医用画像撮影装置に係わり、特に息止め撮影時の撮影ミスを低減できる医用画像撮影装置に関するものである。
【背景技術】
【０００２】
医用画像撮影装置を用いて被検体を撮影する際、被検体の呼吸にともなう臓器の動きによる画質の低下を防止するため、被検体に息止めをしてもらいながら撮影することがある。このような息止め撮影時に被検体が適切に息止めを行えるように、被検体の呼吸や息止め動作を指示するための表示をする指示表示装置を備えた医用画像撮影装置として、例えば特許文献１がある。特許文献1には、被検体の位置決め用光ビームを照射するためのポジショニングライトの窓部分に設けられた指示表示器に、呼吸や息止めの動作を指示する図形や数字を表示するCT装置が開示されている。指示表示器には撮影残り時間が表示され、被検体が撮影残り時間を知ることができるようになっている。
【０００３】
【特許文献１】特開平9-192123号公報
【発明の開示】
【発明が解決しようとする課題】
【０００４】
ところで、撮影残り時間の表示は被検体にとって、残り時間が正確にわかる一方で、「表示された時間、息止めを維持できるだろうか」という心理的抑圧を生じさせる。また、冷被検体が撮影中に息止めを止めてしまうと、それまでの撮影時間が無駄になり、撮影ミスとなってしまう。
【０００５】
そこで本発明では、被検体の心理的抑圧を抑制し息止め撮影時の撮影ミスを低減できる医用画像撮影装置を提供することを目的とする。
【課題を解決するための手段】
【０００６】
息止め撮影に関する発明者らの検討の結果、撮影開始の直前から撮影残り時間を表示するよりも、所定の残り時間となった段階で撮影残り時間の表示を開始したほうが、被検体が息止めを止めてしまうことによる撮影ミスを抑制できることがわかった。これは、撮影予定時間、すなわち息止め時間を撮影開始時に被検体が知った場合、被検体が「撮影時間中に息止めし続けるのは困難」と感じた時に撮影前から諦めてしまうことがあることに由来するようである。これに対し、撮影開始したのち途中から残り時間の表示を開始すると、「ここまで我慢したのだから再撮影で息止めするより残り時間も我慢してしまおう」と被検体に思わせることができ撮影ミスを低減できるようである。
【０００７】
以上の検討結果をふまえ、先に述べた課題を解決するために、本発明は、被検体の呼吸及び息止め動作を指示するための表示をする指示表示装置を備えた医用画像撮影装置であって、撮影開始からの経過時間を計測する計測装置と、前記計測装置の計測結果に基づき息止め残り時間が予め定められた時間に達したか否かを判定する判定装置と、前記判定装置の判定結果に基づき前記表示装置の制御をする制御装置と、を備えることを特徴とする。
【発明の効果】
【０００８】
本発明により被検体の心理的抑圧を抑制し息止め撮影時の撮影ミスを低減できる。
【発明を実施するための最良の形態】
【０００９】
以下添付図面を参照しながら、本発明の好適な実施形態について詳細に説明する。なお、以下の説明及び添付図面において、同一の機能構成を有する構成要素については、同一の符号を付することにより重複説明を省略することにする。また、以下の説明では医療画像診断装置としてX線CT装置を例に挙げるが、本発明はX線CT装置に限定されるものではなく、例えば磁気共鳴イメージング装置に適用しても良い。
【００１０】
図１は本発明を適用したX線CT装置1の全体構成図である。この装置はスキャンガントリ部100と操作卓120とを備える。
【００１１】
スキャンガントリ部100は、X線管101と、回転円盤102と、コリメータ103と、X線検出器106と、データ収集装置107と、寝台105と、ガントリ制御装置108と、寝台制御装置109と、X線制御装置110と、を備えている。X線管101は寝台105上にのった被検体にX線を照射する装置である。コリメータ103はX線管101から照射されるX線の照射範囲を制御する装置である。X線検出器106は、X線管101と対向配置され被検体を透過したX線を検出する装置である。回転円盤102は、寝台105上にのった被検体が入る開口部104を備えるとともに、X線管101とX線検出器106を搭載し、被検体の周囲を回転するものである。X線検出器106は、複数(例えば1000個)の検出素子を回転円盤102の回転方向(チャンネル方向ともいう)に備える。またX線検出器106は、複数の検出素子のチャンネル方向の並びを1列としたときに、この列を回転円盤102の回転軸方向(スライス方向ともいう)に多列(例えば64列)並べたものでも良い。データ収集装置107は、X線検出器106で検出されたX線を所定の信号に変換する装置である。ガントリ制御装置108は回転円盤102の回転を制御する装置である。寝台制御装置109は、寝台105の上下前後動を制御する装置である。X線制御装置110はX線管101への出力を制御する装置である。
【００１２】
操作卓120は、入力装置121と、画像演算装置122と、表示装置125と、記憶装置123と、システム制御装置124とを備えている。入力装置121は、被検体氏名、検査日時、撮影条件などを入力するための装置であり、具体的にはキーボードやポインティングデバイス等である。画像演算装置122は、データ収集装置107から送出される計測データを演算処理してCT画像再構成を行う装置であり、具体的には演算処理を実行するCPU(Central Processing Unit)、若しくは専用の演算回路である。表示装置125は、画像演算装置122で作成されたCT画像を表示する装置であり、具体的にはCRT(Cathode Ray Tube)や液晶ディスプレイ等である。記憶装置123は、データ収集装置107で収集されたデータ及び画像演算装置122で作成されたCT画像の画像データを記憶する装置であり、具体的にはHD(Hard Disk)などである。システム制御装置124は、これらの装置及びガントリ制御装置108と寝台制御装置109とX線制御装置110を制御する装置である。システム制御装置124は、現在時刻取得装置を備えている。現在時刻取得装置は、現在の時刻を取得する装置であり、具体的には時計、若しくは操作卓120が接続されるネットワーク上に存在する電波時計等から時刻を取得する装置である。
【００１３】
X線管101はX線制御装置110によって制御され、入力装置121から入力された撮影条件(X線管電圧やX線管電流など)に基づいたX線を照射する。X線検出器106はX線管101から照射され被検体を透過したX線を各検出素子で検出する。回転円盤102はガントリ制御装置108により制御され、入力装置121から入力された撮影条件(スキャン速度など)に基づいて回転する。寝台105は寝台制御装置109によって制御され、入力装置121から入力された撮影条件(らせんピッチなど)に基づいて動作する。
【００１４】
回転円盤102を被検体の周りで回転させながらX線の照射と検出をすることにより、様々な方向(例えば1000方向)からの投影データがデータ収集装置107で収集される。回転円盤102を1回転させたときに収集される投影データのデータ量は、例えば、X線検出器106の検出素子数を1000個、列数を64列、1回転あたりの投影数を1000方向、検出素子のダイナミックレンジを20bitとすると、160MBもの容量となる。データ収集装置107で収集された投影データは、画像演算装置122へ送出される。画像演算装置122は、投影データを再構成演算してCT画像を生成する。再構成されたCT画像は表示装置125に表示され、また撮影条件とともに画像データとして記憶装置123に記憶される。
図2はスキャンガントリ部100を側面から見たときの説明図であり、指示表示装置201の取付け位置の例を示している。この例では指示表示装置201として201a〜201cの3つがスキャンガントリ部100に備えられており、指示表示装置201aは開口部104のテーパ状壁面部の一方に、指示表示装置201bは開口部104内周面の上部に、指示表示装置201cは開口部104のテーパ状壁面部の他方に、それぞれ位置する。なお、この例では指示表示装置201が3つの場合について説明したが、被検体にとって視認しやすいように備えられていれば、指示表示装置201の数は３つに限定されるものではない。また複数の指示表示装置201の全てを常に点灯させる必要はなく、被検体の頭部の位置に応じて、被検体にとって見やすい位置の指示表示装置のみを選択的に点灯させるようにしても良い。被検体の頭部の位置に応じて、指示表示装置を選択的に点灯させることにより、被検体にとっては注視すべき指示表示装置が明確になり、X線CT装置の消費電力を低減することができる。
【００１５】
図3は指示表示装置201を説明する図である。指示表示装置201は息止め開始までの残り時間や撮影の経過を、段階的に示すための段階的表示部211と、数値で示すための数値表示部212を備える。段階的表示部211と数値表示部212は、LED(Light Emitting Device)や、有機EL(Electro-Luminescence)ディスプレイ、液晶ディスプレイ、プラズマディスプレイを用いて構成される。図3に示した段階的表示部211は4段階の表示例を示しているが、段階数は4段階に限定されるものではなく他の段階数であってもよい。また段階的表示部211は、図3に示した棒グラフに限定されるものではなく、例えば円周方向に段階数を備えた円グラフであっても良い。さらに、段階的表示部211の全てのランプを段階的表示している時とは異なる色で点灯させることで、X線照射中であることや、被検体が楽に呼吸して良いことを示すようにしてもよい。
【００１６】
図4は動作の流れを示す図である。以下、各ステップについて説明する。
【００１７】
(ステップS401)
システム制御装置124は、入力装置121を介して操作者によって入力された撮影条件、すなわちスキャン時間、スキャン数、スキャン範囲、寝台送り速度、らせんピッチ等に基づいて撮影時間、すなわち被検体が息止めしている時間Tscanを算出する。
【００１８】
(ステップS402)
入力装置121を介して操作者によって入力された撮影開始指示に基づき撮影、すなわち回転円盤102を回転させながらのX線管101からのX線照射とX線検出器106及びデータ収集装置107による投影データの収集が開始されるに先立ち、システム制御装置124は指示表示装置201に息止めの指示を表示させる。また、息止めの指示の表示のさせ方については後述する。本ステップでは、息止めの指示を表示するだけであり、撮影残り時間の表示はしない。なお、システム制御装置124は現在時刻取得装置から撮影開始時の時刻Tstartを取得し記録しておく。
【００１９】
(ステップS403)
システム制御装置124は、撮影残り時間が予め定められた所定時間(例えば10秒)に達したか否かを判断する。所定時間に達したか否かの判断は、ステップS401で算出した撮影時間Tscanと、ステップS402で記録した撮影開始時刻Tstartと、現在時刻Tpresentに基づいて、予め定められた所定時間をTthとしたときに次式により行われる。
【００２０】
Tth ≧ Tscan − ( Tpresent − Tstart )            …  式(１)
すなわち、式(1)が満たされると、システム制御装置124は所定時間に達したと判断する。撮影残り時間が所定時間に達していないと判断すればステップS403に戻り、達したと判断すればステップS404へ進む。本ステップS403である間は、指示表示装置201には、息止めの指示を表示するだけである。なお、予め定められた所定時間は、医療施設毎に適切な値に設定されても良いし、被検体毎に適切な値に設定されても良い。
【００２１】
(ステップS404)
システム制御装置124は、指示表示装置201に撮影残り時間を表示させる。残り時間の表示のさせ方については後述する。
【００２２】
(ステップS405)
システム制御装置124は、撮影が終了したか否かを判定する。撮影が終了していなければステップS404に戻り、終了したならばステップS406へ進む。
【００２３】
(ステップS406)
システム制御装置124は、指示表示装置201に撮影が終了したことを表示させ、被検体に楽に呼吸して良いことを知らせる。
【００２４】
以上の動作の流れにより、撮影開始時に被検体が「撮影時間中に息止めし続けるのは困難」と感じさせないようにし、被検体の心理的抑圧を抑制することで息止め撮影時の撮影ミスを低減できる。
【００２５】
次ステップS402の息止めの指示の表示例について、図5を用いて説明する。被検体が楽に呼吸して良い状態のときには、段階的表示部211の全てを、例えば緑色に点灯させる。撮影開始時刻に近づくにつれ、ランプを端部から順に消灯させていき、撮影開始とともに段階的表示部211の全てを、例えば橙色に点灯させる。または、数字表示部212に撮影開始までの残り時間をカウントダウン表示させても良いし、段階的表示部211による息止め指示と、数字表示部212のカウントダウン表示を同時行っても良い。撮影開始までのカウントダウン表示がなされることにより、被検体は自分のタイミングで息止めを開始しやすくなり、息止め撮影時の撮影ミスを低減できる。
【００２６】
次にステップS404の撮影残り時間の表示例について、図6〜図8を用いて説明する。
【００２７】
図6は息止め時間が所定の残り時間に達した後、息止め終了までの残り時間の表示を線形的に変化させる例である。撮影開始後、息止め時間が所定の残り時間に達するまでは、段階的表示部211の表示は変化させず、例えば全てのランプを橙色に点灯させておく。撮影が進み、撮影残り時間が所定時間に達した時点から、ランプを端部から順に消灯させていく。この際、消灯速度は一定であり、段階的表示部211は線形的に変化する。線形的な変化は直感的にわかりやすく、被検体にとって残り時間を把握し易いので、多くの被検体に適用ができる。なお、図６には段階的表示部211の表示例を示したが、数値表示部212の表示の変化を線形的に変化させても良い。すなわち、息止め時間が所定の残り時間に達するまでは、数値表示部212には何も表示させず、所定時間に達した時点から、残り時間を数値表示部212に表示させて、残り時間の変化を線形的に変化させても良い。
【００２８】
図7は息止め時間が所定の残り時間を経過した後、息止め終了までの残り時間を示す表示が非線形的に変化させる第一の例を示している。息止め時間が所定の時間に達するまでは段階的表示部211の表示は図6と同様であるが、残り時間が所定時間に達した後は、段階的表示部211の消灯速度を速めていき、段階的表示部211を非線形的に変化させる。消灯速度が速くなる場合、若干息苦しい状態になっても「あとわずかな時間の息止めで済む」という心理的安堵感が得られ、撮影時間終了まで息止めを継続できるようになる。このような表示方法は、息止めの苦手な高齢者等に適している。なお、本表示例においても数値表示部212の表示の変化を非線形的に変化させても良い。カウントダウン速度が徐々に速まることにより、被検体に心理的安堵感を与えられる。
【００２９】
図8は息止め時間が所定の残り時間を経過した後、息止め終了までの残り時間を示す表示が非線形的に変化させる第二の例を示している。息止め時間が所定の時間に達するまでは段階的表示部211の表示は図6及び図7と同様であるが、残り時間が所定時間に達した後は、段階的表示部211の消灯速度を遅くしていき、段階的表示部211を非線形的に変化させる。
【００３０】
以上、本発明の実施の形態について説明したが、本発明はこれらに限定されるものではなく、その説明の範囲内での様々な組み合せ、または変形が可能であることはいうまでもない。
【図面の簡単な説明】
【００３１】
【図１】本発明を適用したX線CT装置の全体構成図である。
【図２】スキャンガントリ部を側面から見たときの説明図である。
【図３】指示表示装置を説明する図である。
【図４】動作の流れを示す図である。
【図５】息止めの指示の表示例を示す図である。
【図６】撮影残り時間の第1の表示例を示す図である。
【図７】撮影残り時間の第２の表示例を示す図である。
【図８】撮影残り時間の第３の表示例を示す図である。
【符号の説明】
【００３２】
1  X線CT装置、100  スキャンガントリ部、101  X線管、102  回転円盤、103  コリメータ、104  開口部、105  寝台、106  X線検出器、107  データ収集装置、108  ガントリ制御装置、109  寝台制御装置、110  X線制御装置、120  操作卓、121  入力装置、122  画像演算装置、123  記憶装置、124  システム制御装置、201(201a〜201c)  指示表示装置、202  被検体、211  段階的表示部、212  数値表示部
【図１】
2010005192.tif 000003
【図２】
2010005192.tif 000004
【図３】
2010005192.tif 000005
【図４】
2010005192.tif 000006
【図５】
2010005192.tif 000007
【図６】
2010005192.tif 000008
【図７】
2010005192.tif 000009
【図８】
2010005192.tif 000010